(57)【要約】【課題】  カードをカードコネクタに挿入して使用する際に、カードが排出される時にカードの飛び出しを防止するように、コンタクトがカードと接触していて制動力を作用させてカードの飛出し量を低減し、排出不具合を無くす。【解決手段】  コネクタ本体とカバー部材とを組み合わせて構成されるコネクタハウジングと、このコネクタハウジング内に配置された複数個のコンタクトと、前記コネクタハウジング内に挿入されたカードを排出するイジェクト機構と、を備え、前記コンタクトは、前記イジェクト機構の弾性部材が伸縮したどの場合でも挿入されたカードと接触している位置に設けられたことを特徴とする。【選択図】  図３
2005317383.tif 000002
【特許請求の範囲】
【請求項１】
コネクタ本体とカバー部材を組み合わせて構成されるコネクタハウジングと、
このコネクタハウジング内に配置された複数個のコンタクトと、
前記コネクタハウジング内に挿入されたカードを排出するイジェクト機構と、を備え、
前記コンタクトは、前記イジェクト機構の弾性部材が伸縮したどの場合でも挿入されたカードと接触している位置に設けられたことを特徴とするカードコネクタ。
【請求項２】
前記イジェクト機構にはスライダ部材が一体的に形成され、
前記スライダ部材にはカード抑え部材が設けられたことを特徴とする請求項１記載のカードコネクタ。
【請求項３】
前記カード抑え部材は、前記スライダ部材の側壁部に設けられていることを特徴とする請求項２記載のカードコネクタ。
【発明の詳細な説明】
【技術分野】
【０００１】
本発明は、イジェクト機構により排出されるＩＣカード（以下カードと称す）の排出時の飛出しを防止するための対策を行って、カードを円滑に排出できるカードコネクタに関するものである。
【背景技術】
【０００２】
カードコネクタは、例えば、特許文献１にも示されるような、カードの着脱を行うイジェクト機構を備えたものがある。
【０００３】
このようなイジェクト機構は、例えば、イジェクト部材、ハートカム機構、コイルスプリングを主な要素として含んで構成される。
【０００４】
このような構成において、ＩＣカードがイジェクト機構により排出される場合、ＩＣカードの排出速度は、コイルスプリングの弾性力（ばね定数）に応じたものとなる。
【０００５】
【特許文献１】特許第３２５２１３３号公報
【発明の開示】
【発明が解決しようとする課題】
【０００６】
しかしながら、近年のカードの小型化に伴い、従来のカードコネクタのイジェクト機構でカードを取り出す場合、カードを最奥まで差し込んだ位置（プッシュ位置）から急速にカードを離すと、コイルスプリングの弾性力によりカードが急峻に飛び出し、カードが紛失する恐れがある。
【０００７】
また、カードの飛出しを防ぐために、コイルスプリングの弾性力を小さくした場合、イジェクト機構の耐久性が低くなる。
【０００８】
そのためカード排出を多数回行った場合、カードが排出されずカードの取り出しが困難となる。
【０００９】
以上の問題点を考慮し、本発明に係わるカードコネクタは、コンタクトとカードの接触位置をカード挿入口側へずらすことにより、コンタクトとカードの摩擦によってカードの飛出しを防止できるカードコネクタを提供することにある。
【課題を解決するための手段】
【００１０】
上述の目的を達成するために、本発明のカードコネクタは、コネクタ本体とカバー部材を組み合わせて構成されるコネクタハウジングと、このコネクタハウジング内に配置された複数個のコンタクトと、前記コネクタハウジング内に挿入されたカードを排出するイジェクト機構と、を備え、前記コンタクトは、前記イジェクト機構の弾性部材が伸縮したどの場合でも挿入されたカードと接触している位置に設けられたことを特徴とする。
【発明の効果】
【００１１】
本発明のカードコネクタは、カード排出時にコンタクトがカードと長く接触して、ばね部材の力量が無くなる移動量の時でも、コンタクトがカードと接触していてカードの飛出しを抑制し、カードを好適に排出することができる。
【発明を実施するための最良の形態】
【００１２】
本発明のカードコネクタは、カードに対するコンタクトの接触位置をカード挿入口側へずらして配置し、これによって、コンタクトとカードとの接触距離を長くしてカードの飛出しを抑制することを特徴とする。
【実施例】
【００１３】
図１乃至図１１は、本発明のカードコネクタの一実施例を示す図で、図１は、本発明の一実施例におけるカードコネクタの平面図で、図２は、図１のカードコネクタの正面図で、図３は、図１のIII―III線に沿った断面図で、図４は、図１のIＶ―IＶ線に沿った断面図、図５は、図１の本発明のカードコネクタの左側面図で、図６は、右側面図、図７は、図１の本発明のカードコネクタの斜視図で、図８は、図７のカバー部材を取外した斜視図、図９はカバー部材を取外した時の平面図で、図１０は、カバー部材の斜視図、図１１は、スライダ部材の斜視図である。
【００１４】
本発明のカードコネクタ１は、例えば、情報端末機器等に装着して用いられるように構成されている。
【００１５】
このような本発明のカードコネクタ１は、コネクタ本体２に組合せられるカバー部材３によって偏平なハウジング形状のコネクタハウジングが構成されている。さらに、このようなコネクタハウジングは、一方の側が開放されていてカード挿入口１０が形成されている。
【００１６】
このような本発明のカードコネクタ１において、コネクタ本体２は、図９に明示されるように、例えば、適宜な合成樹脂材料などの絶縁材料によって成形して作られ、金属薄板材料で作られたカバー部材３と組み合わせられて中空のハウジング形状に形成されている。さらに、コネクタ本体２は、図８および図９に示されるように、ほぼ矩形の長方形状をなしている。また、コネクタ本体２は、平板状の基板１１と、基板１１の一方の端の端壁１４と、基板１１の左右両側の側壁１５、１６とを有しており、他方の開放された側の端にカード挿入口１０が形成されている。従って、コネクタ本体２は、平板状の基板１１の三方が、ほぼ直角に直立した端壁１４と側壁１５、１６とによって囲まれており、残りの一方が開放されていてカード挿入口１０が設けられた形状をなしている。
【００１７】
また、金属薄板材料で作られたカバー部材３は、両側がほぼ直角に折り曲げられていて左右の側壁部３Ａ、３Ｂが設けられている。さらに、カード挿入口１０と反対側において、ほぼ直角に折り曲げられていて端壁部３Ｃが設けられている。
【００１８】
コネクタ本体２へのカバー部材３の取り付けは、カバー部材３の両側壁部３Ａ、３Ｂと端壁部３Ｃに形成された開口部２７を、コネクタ本体２の端壁１４と両側壁１５、１６との外面に形成された断面ほぼ三角形状の突部２６に嵌めることによって取り付けることができる。
【００１９】
コネクタ本体２の基板１１部分には、カードの挿入、抜去方向と平行な方向に延びる複数個の溝１２が設けられている。これら溝１２の各々には、コンタクト４がそれぞれ整列して固着されて取り付けられている。コンタクト４は、自由端部側の弾性変位可能な半円形状に形成された弾性接触部４ａと、中間の固定部４ｂと、固定側端部の端子部４ｃとをそれぞれ有した片持ちばね状をなしている。特に、本発明のカードコネクタ１においては、コンタクト４がカード挿入口１０側にずらして設けられていることが、主要な特徴の１つである。これによって、コンタクト４のカードに対する接触範囲、すなわち接触距離が大きくなり、カード排出時にコンタクト４がブレーキとなって作用することによってカードの飛出し量を低減することができる。
【００２０】
このような本発明のカードコネクタ１において、これらコンタクト４には、先ず、外部の他の情報端末機器や装置等と接続するための固定側の端子部４ｃが延出するように設けられている。さらに、これらコンタクト４は、コンタクト本体を形成する中間の固定部４ｂにおいて個々にコネクタ本体２の基板１１部分の溝１２内に圧着されることで、コネクタ本体２にしっかりと固着されている。そして、挿入されたカードの接触パッドとコンタクト４の半円形状の弾性接触部４ａとが接触されて電気的に接続されるようになっている。
【００２１】
本発明のカードコネクタ１において、イジェクト機構５は、イジェクト部材８と、このイジェクト部材８を弾性的に偏倚するばねやゴム等の弾性部材である例えばばね部材９と、ハート形カム２０と、ハート形カム２０の周りのカム溝２１と、カムレバー２５とを有しており、イジェクト部材８がスライダ部材６と連結されていて一体的に形成されている。
【００２２】
本発明のカードコネクタ１において、コネクタ本体２の一方の側には、側壁１５に沿ってイジェクト機構５のイジェクト部材８とばね部材９とを収容するための窪み部１９が設けられており、この窪み部１９内にイジェクト部材８とばね部材９とが配置されている。このイジェクト部材８には、ばね部材９の一端部を受けるように、断面がほぼ半円形状の窪んだトンネル形の、行き止りの凹状のばね収納部８Ａが設けられており、このばね収納部８Ａ内の行き止りの端壁部分にばね部材９の一端部が当接されて係合されている。また、ばね部材９の他端は、コネクタ本体２の窪み部１９の一方の端の端壁1４に形成された突出部1４ａに係合されている。この突出部1４ａに対応してコネクタ本体２の底部２Ａには、開口部１１ａが設けられている。従って、この開口部１１ａを介してばね部材９の端部が突出部１４ａに係合している状態が底部側から見ることができる。
【００２３】
さらにまた、このコネクタ本体２の窪み部１９において、側壁１５の前方の部分が切欠かれていて、イジェクト部材８の側面が露出されるようになっている。従って、この側壁１５の切欠かれて、イジェクト部材８の露出されるようになった側面部分に対して、カムレバー２５が配置されており、カバー部材３の側壁部３Ａに設けられた抑え部材２４によって、カムレバー２５が外れないように押圧されるようになっている。
【００２４】
また、この窪み部１９内に配置されるイジェクト部材８の外側の側面にはイジェクト機構５のハート形カム２０とカム溝２１とが設けられており、カムレバー２５の一方の端部がこのカム溝２１に係合されている。さらにまた、カムレバー２５の他方の端部は、コネクタ本体２の側壁１５部分の孔に回動可能に嵌め込まれて支持されており、カバー部材３の側壁部３Ａに設けられた抑え部材２４によってカムレバー２５が外れないように水平方向に押圧されている。
【００２５】
さらに、このようなイジェクト機構５のイジェクト部材８が配置される窪み部１９に隣接して、スライダ部材６のための一方の案内路１７が形成されている。また、この案内路１７と対向して、コネクタ本体２の反対側の側壁１６に沿って案内路１８が設けられていて、スライダ部材６をカードの挿入、抜去方向と平行な方向にスライドさせて案内するようになっている。
【００２６】
カバー部材３の上面には、一対のガイド溝２２が、間隔を置いてほぼ平行に設けられると共に、カバー部材３の側壁３Ａの前方の部分に、イジェクト機構５のカムレバー２５を抑制するための片持ちばね形の抑え部材２４が形成されている。カバー部材３のこれらガイド溝２２には、スライダ部材６の対応する円形状のガイド用の突部であるガイド突部２３が係合していて、スライダ部材６を良好に案内してスライド、すなわち滑動できるように形成されている。
【００２７】
従って、カードの挿入、抜去時には、スライダ部材６のガイド突部２３がガイド溝２２に沿って案内されて滑動されるので、スライダ部材６がガタ付くことなく円滑に案内されると共に、スライダ部材６の傾きを矯正するように作用して、スライダ部材６がカード挿入、抜去方向に対して何等傾くこと無く、常に良好に滑動されるようになる。
【００２８】
このように、カバー部材３のガイド溝２２と、このガイド溝２２に係合するスライダ部材６のガイド突部２３との組によって、スライダ部材６の傾きを矯正する傾き矯正機構７が形成されるようになっている。
【００２９】
このような本発明のカードコネクタ１において、スライダ部材６は、図３、図４、図８、図１１に示されるように、平板状のスライダ本体１３と、スライダ本体１３の両側部をほぼ直角に折り曲げて形成された側壁部６Ａ、６Ｂと、スライダ本体１３の一端を同様にほぼ直角に折り曲げて形成された端壁部６Ｃとを有している。一方の側壁部６Ａにおいて、図８および図１１に示されるように、スライダ部材６の、鉤形に折り曲げられた係止部６Ｄがイジェクト部材８の上面の溝形の係止孔８Ｂに圧入されて係合され、イジェクト部材８と連結されて一体的に形成されるようになっている。
【００３０】
さらに、スライダ部材６は、両側の両側壁部６Ａ、６Ｂが直角形状に折り曲げられていて、屈曲部分が、コネクタ本体２の基板１１部分の両側の案内路１７、１８部分に係合するように形成されている。これによってスライダ部材６は、ガイドレールとしての案内路１７、１８に沿って案内されて往復移動するように形成されている。
【００３１】
また、スライダ部材６は、両側の側壁部６Ａ、６Ｂと一端の端壁部６Ｃとが折り曲げられることによって、スライダ本体３の内側に、カードを収納できるカード装着部が形成されている。これによって挿入されたカードの先端部分がこのカード装着部内に装着され、端壁部６Ｃを介してスライダ部材６を押圧して移動することができる。
【００３２】
さらにまた、スライダ部材６の側壁部６Ｂには、図１および図１１に示されるように、片持ちばね形のカード抑え部材２９が設けられており、挿入されたカードを反対側の側壁部６Ａに向ってカードを横方向に押圧して、スライダ部材６に対するカードのガタツキを防止するようになっている。さらに、このカード抑え部材２９は、カード装着時に、カードをスライダ部材６の側壁部６Ａに対して押圧してしっかりと保持するように作用して保持部材としてカードを好適に保持することができるように形成されている。
【００３３】
上述したように、イジェクト部材８には、トンネル形のばね収納部８Ａが設けられており、このばね収納部８Ａ内の閉鎖側の端壁８Ｃに対してばね部材９の一端が係合されている。また、ばね部材９の他端は、窪み部１９の端壁１４の突出部１４ａに当接され係合されている。従って、ばね部材９は、イジェクト部材８の移動によって押圧されて、圧縮されるようになっている。このばね部材９の圧縮力がイジェクト部材８を押し戻すことによって、カードがカードコネクタ１から押し出されて排出されるようになる。
【００３４】
このような本発明のカードコネクタ１において、スライダ部材６は、カバー部材３の一対のガイド溝２２に、スライダ部材６の上面の円形状のガイド突部２３が係合されている。これによって、スライダ部材６は、何等ガタ付き無く円滑に案内されてスライダ部材６の傾きを矯正するように作用するため、スライダ部材６がカード挿入、抜去方向に対して何等傾くこと無く、常に良好に滑動されるようになる。
【００３５】
従って、スライダ部材６の摩滅による削り屑の発生も無く、常に円滑にスライダ部材６を作動させることができる。なお、ガイド溝２２は、少なくとも１つが設けられておれば、所期の目的を達成することができ、スライダ部材６のガタツキの無い円滑な滑動が得られる。また、好適には、ガイド溝２２は、一対が設けられると、一層良好な滑動が得られるものである。
【００３６】
上述したように、本発明のカードコネクタ１によれば、スライダ部材６は、上面に設けられた円形状のガイド突部２３が、カバー部材３のガイド溝２２に係合されている。これによって、スライダ部材６は、何等ガタ付き無く円滑に案内され、しかも、これらガイド溝２２とガイド突部２３とによってスライダ部材６の傾きが矯正されるように作用されるために、スライダ部材６がカード挿入、抜去方向に対して何等傾くこと無く、常に良好に滑動されるようになる。従って、スライダ部材６の摩滅による削り屑の発生も無く、常に円滑にスライダ部材６を作動させることができる。
【００３７】
上記のように構成された本発明のカードコネクタ１に、カードＣを挿入、排出した時の状態が、図１２および図１３にそれぞれ示されている。
【００３８】
すなわち、図１２には、本発明のカードコネクタ１に、カードＣが挿入された状態が示されており、さらにまた、図１３には、カードＣが、本発明のカードコネクタ１からイジェクトされた状態、すなわち排出された状態が示されている。
【００３９】
図１２に示されるように、本発明のカードコネクタ１に対して、カードＣが挿入される時には、カードＣは、カード挿入口１０から差し込まれて内方に挿入されるようになる。
【００４０】
まず、カード挿入口１０から挿入されたカードＣは、先端部がスライダ部材６の端壁部６Ｃに当接してスライダ部材６を押圧するようになる。従って、スライダ部材６は、両側の側壁部６Ａ、６Ｂの屈曲部分がガイド部材として案内路１７、１８に沿って滑動して移動される。この場合に、スライダ部材６と一体的に形成されたイジェクト部材８も移動されて、ばね部材９が圧縮されると共に、カムレバー２５の端部２５Ａがカム溝２１の直線状カム溝部２１ｄに沿って移動されるようになる。
【００４１】
そして、カードＣが一番奥にまで押し込まれた時に、カムレバー２５の端部２５Ａは、直線状カム溝部２１ｄから、カム溝部２１ａを通ってカード排出開始用カム溝部２１ｅに入り、そこでカードＣの押し込みを停止すれば、ばね部材９によってスライダ部材６がイジェクト部材８と一緒に僅かに押し戻されるようになる。これによって、カムレバー２５の端部２５Ａがカード排出開始用カム溝部２１ｅから凹み部２１ｃのところに入って、この凹み部２１ｃのところでハート形カム２０に係合して停止されて保持され、ロック状態となる。また、スライダ部材６がカードコネクタ１内にロックされてカードＣがカードコネクタ１内に固持される。この状態が、図１２のカード挿入状態である。
【００４２】
また、このようなカード挿入状態から、図１３に示される状態にカードＣを排出して抜き出すには、図１２に示される状態において、カードＣを一度、軽く押し込んで、カムレバー２５の端部２５Ａをハート形カム２０の凹み部２１ｃから、他方のカード排出開始用カム溝部２１ｆへと移動させる。そこで、カードＣの押し込みを止めて手を離せば、カムレバー２５の端部２５Ａがカード排出開始用カム溝部２１ｆから出てカム溝部２１ｂへと移動して凹み部２１ｃから外れてロックが解除される。従って、カムレバー２５は、フリーとなって端部２５Ａがカム溝部２１ｂを経て直線状カム溝部２１ｄへと移動する。
【００４３】
これによって、カードＣは、ばね部材９のばね力によってイジェクト部材８を介してスライダ部材６が押し戻されることによって、スライダ部材６と一緒に押し出されてカードコネクタ１の外に排出されるようになる。この時に、カード抑え部材２９が保持部材として作用すると共に制動部材として作用して、スライダ部材６に対してカードＣをしっかりと保持し、かつカードＣに対してブレーキとして作用するので、カードＣは、排出速度が抑制されて好適に排出されるようになる。
【００４４】
また、この場合に、スライダ部材６は、カバー部材３のガイド溝２２に、スライダ部材６の上面の円形状のガイド突部２３が係合されているので、これによって、スライダ部材６は、何等ガタ付き無く円滑に案内されてスライダ部材６の傾きを矯正するように作用するので、スライダ部材６がカード挿入、抜去方向に対して何等傾くこと無く、常に良好に滑動されるようになる。
【００４５】
従って、スライダ部材６の摩滅による削り屑の発生も無く、常に円滑にスライダ部材６を作動させることができる。なお、ガイド溝２２は、少なくとも１つが設けられておれば、所期の目的を達成することができ、スライダ部材６のガタツキの無い円滑な滑動が得られる。また、好適には、ガイド溝２２は、一対が設けられると、一層良好な滑動が得られるものである。
【００４６】
さらに、このような本発明のカードコネクタ１においては、上述のカード排出時におけるカードの飛出しを好適に防止することができる。
【００４７】
すなわち、本発明のカードコネクタ１によれば、コンタクト４がカード挿入口１０側にずらして設けられているために、これによって、コンタクト４のカードに対する接触範囲、すなわち接触距離が大きくなり、カード排出時に、コンタクト４がブレーキとなって作用することによって、カードの飛出し量を低減することができる。この場合に、コンタクト４は、弾性接触部４ａが、カード挿入口１０の開口端部から距離Ｌｃのところに配置されており、これは、通常のカードコネクタのコンタクトにおける配置距離よりも、十分に短い距離に配置されており、カード挿入口１０に寄っている。従って、カードは、コンタクト４との接触量（接触長さ）が、十分な長さだけ長くなり、これによって、カードの排出速度が、コンタクト４との接触摩擦に基づいて好適に抑制されるので、ばね部材９の力量が零になる排出位置（ばねが十分に伸びた状態）においてカードの排出が停止されて、カードの飛出しが良好に防止される。なお、このコンタクト４の接触量（接触長さ）は、必要に応じて適宜に設定できるものである。
【００４８】
また、このような場合の、挿入されたカードが本発明のカードコネクタから排出される途中での状態が図１４に示されている。
【００４９】
この図１４に示されるカード排出途中の状態においては、本発明のカードコネクタ１に挿入されたカードＣのコンタクトパッド部３２が、カードコネクタ１のコンタクト４の弾性接触部４ａに接触しており、カードＣの露出したコンタクトパッド部３２における突部３３が、コンタクト４の弾性接触部４ａの先端部分に当たっている。従って、カードＣのこの突部３３が、コンタクト４の弾性接触部４ａの先端部分に当たることによって、コンタクト４に対してさらに荷重がかかって付加的な摩擦接触力が作用するようになり、これによってカードＣの飛び出し速度が一層抑制されるようになって、ブレーキとして好適に作用するようになる。
【００５０】
このような本発明のカードコネクタ１のコンタクト４に対するコイルスプリングのようなばね部材９の力量としての荷重（Ｐ）と、移動量としての行程、すなわちストローク（Ｓ）との関係が図１５のグラフに示されている。
【００５１】
図１５に示されるように、ばね部材自体の力量、すなわち荷重（Ｐ）は、一般のコイルスプリングにおいては、移動量であるストローク（Ｓ）に対して直線的に真っ直ぐに変化する直線Ｊで示されている。従って、荷重（Ｐ）は、一定の割合で、ストローク（Ｓ）に対して直線的に変化する。
【００５２】
これに対して、本発明のカードコネクタ１において、カードの挿入、排出時には、ばね部材９の力量としての荷重（Ｐ）が、ストローク（Ｓ）に対して折れ線部Ａ、Ｂ、Ｃ、Ｄで示されるように変化するものである。
【００５３】
先ず、図１５のグラフに示されるように、折れ線部Ａは、本発明のカードコネクタ１内にカードが挿入されて、スライダ部材６とイジェクト部材８を押圧して移動する状態でのばね力の変化を示すもので、図６のハート形カム２０のカム溝２１において、カムレバー２５の端部２５Ａが、直線状カム溝部２１ｄからハート形カム２０の周りのカム溝部２１ａを通ってカード排出開始用カム溝部２１ｅに入るように移動する状態である。
【００５４】
また、折れ線部Ｂは、さらにカードが所要位置にまで挿入されて、スライダ部材６とイジェクト部材８がロックされた状態でのばね力の変化を示すものであり、同様に、図６のハート形カム２０のカム溝２１において、カムレバー２５の端部２５Ａが、カード排出開始用カム溝部２１ｅから凹み部２１ｃに向って移動して凹み部２１ｃのところで停止されて、ロックされた状態である。
【００５５】
さらに、折れ線部Ｃは、カードを排出するために、カードを僅かに押してロックを解除した状態でのばね力の変化の状態を示すものであり、図６のハート形カム２０のカム溝２１において、カムレバー２５の端部２５Ａが、凹み部２１ｃから移動して別のカード排出開始用カム溝部２１ｆに移動して、ロックが解除される状態である。
【００５６】
さらにまた、折れ線部Ｄは、ロックが解除され、スライダ部材６とイジェクト部材８がばね部材９によって押圧されて、カードが排出される状態でのばね力の変化を示すものである。この状態では、図６のハート形カム２０のカム溝２１において、カムレバー２５の端部２５Ａが、カード排出開始用カム溝部２１ｆから、カム溝部２１ｂを通って直線状カム溝部２１ｄに向って移動して、この直線状カム溝部２１ｄに入った状態を示すものである。なお、この折れ線部Ｄにおいて、水平に直線状になる時が、ばね部材９が伸びた状態である。
【００５７】
なお、この折れ線部Ｄの状態において、荷重Ｐが矢印方向に減少して水平な直線部分ｅとなる時に、ばね部材９が伸びた状態になる。
【００５８】
すなわち、図１５のグラフにおいて、ばね部材の力量が零になる排出位置（ばね部材が十分に伸びた状態）のグラフの直線部分ｅにおいて、カードＣの突部３３がコンタクト４の弾性接触部４ａに当たって荷重がかかるようになって摩擦力が作用して、カードＣの排出速度を抑制するようになる。
【００５９】
また、折れ線部Ａ、Ｄでの屈曲点ａ、ｄは、カードの先端部がコンタクト４の弾性接触部４ａに当接した時の変化をそれぞれ示している。
【００６０】
また、コネクタ本体２の底面には、図２乃至図６に示されるように、１つまたは複数個の位置決め突部２８が設けられており、本発明のカードコネクタ１が装着される情報端末機器等の、対応する装着用凹部または穴部に嵌め込まれることによって、迅速かつ正確に位置決めを行って取り付けることが出来るようになっている。
【００６１】
上述したように、本発明のカードコネクタ１によれば、ガイド溝２２に係合する円形の突部２３を有する傾き矯正機構７によって、スライダ部材６が何等傾くことなく円滑に案内されて滑動され、カードを良好に排出することができるし、コンタクト４がカード挿入口１０側にずらして設けられているために、これによって、コンタクト４のカードに対する接触範囲、すなわち接触距離が大きくなり、カード排出時に、カードに対してコンタクト４がブレーキとなって作用することによって、カードの飛出し量を低減することができ、カードの飛出し速度を好適に抑制してカード挿入口１０におけるカードの急峻な飛出しを好適に防止することができる。
【産業上の利用可能性】
【００６２】
本発明のカードコネクタは、各種のパソコン、携帯電話機、電話機、ＰＤＡ（personal  digital  assistance）、携帯型オーディオ、ゲーム機、カメラ、カラオケ等や情報端末機器等の電子機器に利用できる。
【図面の簡単な説明】
【００６３】
【図１】本発明の実施例におけるカードコネクタの平面図である。
【図２】図１のカードコネクタの正面図である。
【図３】図１のIII―III線に沿った断面図である。
【図４】図１のIＶ―IＶ線に沿った断面図である。
【図５】図１の本発明のカードコネクタの左側面図である。
【図６】図１のカードコネクタの右側面図である。
【図７】図１の本発明のカードコネクタの斜視図である。
【図８】図７のカードコネクタを、カバー部材を取外して示す斜視図である。
【図９】図８のカバー部材が取外されたカードコネクタの平面図である。
【図１０】カバー部材の斜視図である。
【図１１】イジェクト部材とスライダ部材の斜視図である。
【図１２】本発明のカードコネクタにカードが挿入された時の斜視図である。
【図１３】図１２のカードコネクタにおいてカードが排出された時の斜視図である。
【図１４】挿入されたカードが排出される図１３への途中におけるカードコネクタの断面図である。
【図１５】本発明のカードコネクタにおけるばね部材の力量と移動量の変化を示すグラフである。
【符号の説明】
【００６４】
１          カードコネクタ
２          コネクタ本体
３          カバー部材
４          コンタクト
５          イジェクト機構
６          スライダ部材
７          傾き矯正機構
８          イジェクト部材
９          ばね部材
１０        カード挿入口
１１        基板
１２        溝
１３        スライダ本体
１４        端壁
１５、１６  側壁
１７、１８  案内路
１９        窪み部
２０        ハート形カム
２１        カム溝
２２        ガイド溝
２３        突部
２４        抑え部材
２５        カムレバー
２６        係止突部
２７        開口部
２８        位置決め突部
２９        カード抑え部材
３２        コンタクトパッド部
３３        突部
【図１】
2005317383.tif 000003
【図２】
2005317383.tif 000004
【図３】
2005317383.tif 000005
【図４】
2005317383.tif 000006
【図５】
2005317383.tif 000007
【図６】
2005317383.tif 000008
【図７】
2005317383.tif 000009
【図８】
2005317383.tif 000010
【図９】
2005317383.tif 000011
【図１０】
2005317383.tif 000012
【図１１】
2005317383.tif 000013
【図１２】
2005317383.tif 000014
【図１３】
2005317383.tif 000015
【図１４】
2005317383.tif 000016
【図１５】
2005317383.tif 000017